(57)【要約】      （修正有）【課題】平坦でない接地面においても自立することが可能な測量用ポールを提供する。【解決手段】脚体１１を備えた自立型の測量用ポール１０であって、脚体１１は、ポール本体１２の下方部に外方に延伸するように複数本取り付けられており、脚体１１は、自在に曲がる構造を備え、接地面と接触する先端部には、緩衝部材１３が取り付けられているとともに、ポール本体１２には、ポール本体１２の傾きを計測する水準器１４が設けられている。【選択図】図１
0003232574.tif 000002
【実用新案登録請求の範囲】
【請求項１】
脚体（１１）を備えた自立型の測量用ポール（１０）であって、
前記脚体（１１）は、ポール本体（１２）の下方部に外方に延伸するように複数本取り付けられており、
該脚体（１１）は、自在に曲がる構造を備え、
接地面と接触する先端部には、緩衝部材（１３）が取り付けられているともに、
前記ポール本体（１２）には、
ポール本体（１２）の傾きを計測する水準器（１４）が設けられていることを特徴とする自立型の測量用ポール（１０）。
【考案の詳細な説明】
【技術分野】
【０００１】
本考案は、測量用のポールに関し、特に、測量作業時において自立型の測量用ポールに関する。
【背景技術】
【０００２】
測量は、地球表面上の点の関係位置を決めるための技術・作業の総称であり、地図の作成、土地の位置・状態調査などを行う。
これら測量において用いる赤白の棒は、測量用ポール（単にポールという場合がある）と呼んでいる。
ポールは、一般に２ｍの長さで、木製やアルミ合金などの素材のものが多く使われている。
また、ポールの先端は、鉄のくさび状になっており、接地面に突き刺すことが出来るようになっている。
また、ポールの外面には、見ただけで長さが分かるように、２０ｃｍ毎に赤白の縞模様が形成されている。
測量では、このようなポールを用いて、高低差のある場所で、水平距離を測ったり、測量の目標として使用する。
また、ポール２本を水平、垂直に置いて接地面の概略の勾配を測定（ポール横断と呼んでいます）する時などにも使用する。
さらに、建築や土木関係においては、距離や高さ、角度などを正確に測るための測量機を使用する場合がある。
測量作業においては、測量機とポールを測りたい地点に立てて置き、測量機のレンズからそのポールを見て真ん中に来るように合わせる。
このような測量用ポールにおいて、従来、金属パイプ体よりなるポール主体の外面上に吹付塗装よる被覆白色層を形成し、その下端より所定間隔毎の被覆白色層上に所定幅の塗着面をもったローラで赤色層を塗着形成し、ポール主体の外面に所要の基準異色面を連続して構成した測量用ポールが提案されている（例えば、特許文献１参照）。
【先行技術文献】
【特許文献】
【０００３】
【特許文献１】実開昭４８−９１５９号公報
【考案の概要】
【考案が解決しようとする課題】
【０００４】
しかし、特許文献１に記載の測量用ポールは、その外面上に表示する一定間隔をもった赤、白の基準異色面が鮮明に保持される点においては特徴があるが、以下の点において問題がある。
すなわち、測量作業時における測量用ポール設置において支障がある。
この従来の測量用ポールは、測量作業には、計測器を操作する測量士、ポールを垂直に保持する補助員が必要であり、少なくとも２人は必要であり、１人では作業ができない。
また、三脚型のポール立てを補助的に用いることもできるが、三脚の各脚を曲げて接地面に固定することが難しく、接地面が平坦ではなく凸凹していたり傾斜したりする地点においては、測量用ポールを垂直に設置することが困難となる。
本考案はかかる事情に鑑みてなされたもので、平坦でない接地面においても自立型の測量用ポールを提供することを目的とする。
【課題を解決するための手段】
【０００５】
上記課題を解決するため、本考案の自立型の測量用ポールは、以下の特徴を備えている。
（１）脚体１１を備えた自立型の測量用ポール１０であって、
前記脚体１１は、ポール本体１２の下方部に外方に延伸するように複数本取り付けられており、
該脚体１１は、自在に曲がる構造を備え、
接地面と接触する先端部には、緩衝部材１３が取り付けられているともに、
前記ポール本体１２には、
ポール本体１２の傾きを計測する水準器１４が設けられていることを特徴とする。
【考案の効果】
【０００６】
本考案の自立型の測量用ポールは、平坦でない凸凹な接地面においても自立して安定して設置でき、工事現場などでの測量作業において広く用いることができる。
【図面の簡単な説明】
【０００７】
【図１】本考案における自立型の測量用ポールの概略図である。
【図２】図１のポールに取り付けた水準器の拡大図である。
【図３】本考案の自立型の測量用ポールを凸凹の接地面に設置した場合の態様を示す概略図である。
【考案を実施するための形態】
【０００８】
以下、図面を参照しながら、本考案の実施形態の自立型の測量用ポールを詳細に説明する。
図１の概略図に示すように、実施形態の自立型の測量用ポールは、脚体１１を備えた自立型の測量用ポール１０であって、
前記脚体１１は、ポール本体１２の下方部に外方に延伸するように複数本取り付けられており、
該脚体１１は、自在に曲がる構造を備え、接地面と接触する先端部には、緩衝部材１３が取り付けられているともに、前記ポール本体１２には、ポール本体１２の傾きを計測する水準器１４が設けられていることを特徴とする。
【０００９】
＜ポール本体１２＞
本実施形態の測量用ポール１０を構成するポール本体１２は、適当な長さ例えば２〜３ｍ程度の軽合金の金属パイプで構成され、その外面全面に、例えばスプレー等の手段による吹き付け塗装によってコーティングされた赤白の層が、下端より上端にかけて一定間隔ごとに交互に形成されており、所定間隔をおいた赤白層の模様が形成されている。
このような赤白層の模様は、例えば、あらかじめ白色を塗着させたポール本体１２の外面上に、ポール本体１２を回転させながら一定間隔の塗着面をもったローラーを回転接触させて、ローラー面にあらかじめ付着させてある赤色塗料を転写塗着させて形成することができる。
【００１０】
＜石突き＞
また、ポール本体１２の下端には、石突き１２ａが取り付けられている。
＜キャップ＞
ポール本体１２の上端には、ポール本体の上端部を封鎖するキャップ１２ｂが被嵌されている。
【００１１】
＜脚体１１＞
本実施形態の測量用ポール１０を構成する脚体１１は、ポール本体１２の下方部に外方に延伸するように複数本取り付けられており、該脚体１１は、自在に曲がる構造を備えている。
図１に示す実施形態の脚体１１は、３本の脚体１１ａ、１１ｂ、１１ｃで構成されている。
測量用ポール１０を自立して垂直に立設させるために補助的に設けられていればその本数は３本に限定されるものではない。
脚体１１はポール本体１２に、固定手段は、ネジ留め、接着固定など公知の固定手段により取り付けられている。
なお、脚体１１を形成する部材としては、フレキシブルな構造のもの、例えば、蛇腹管のように自在に曲がる素材で構成されていることが望ましい。
蛇腹管は、線の断面が円形のコイルバネと、線の断面が三角形のコイルバネとを、交互に相接するように配置してパイプ状に形成し、これら両コイルバネの相互の摩擦によってフレキシブルなパイプを形成したものである。
このような自在に曲がる構造の脚体１１を備えることにより、自立でき、凹凸のある足場の悪い場所でも安定して設置でき、安全に作業をすることができる（図３を参照）。
【００１２】
＜水準器１４＞
図２に示すように、本実施形態の測量用ポール１０のポール本体１２には、ポール本体１２の傾きを計測する水準器１４が設けられている。
水準器は、土木、建築、測量などの分野を中心に広く用いられている器具であり、水平または鉛直に対するポール本体１２の角度や傾斜（水平、垂直、45度など）を確認する器具であり、水平器あるいはレベルとも称呼されている。
水準器の種類としては、気泡管水準器、円形（円盤形）水準器、レーザー水準器、角度を数値表示するデジタル式などがある。
また、近年は、スマートフォンの普及により、スマートフォンに搭載されたカメラを利用したスマートフォンアプリを使った垂直水準器も使用することができる。
気泡管水準器は、金属製あるいは樹脂製のケース（フレーム）内に一定の角度で取り付けられた気泡管（アルコールやエーテルなどの液体と一つの気泡が封入されたガラス製密閉容器）を利用した水準器である。
気泡管には複数の標線（基準線）と呼ばれる線が入っており、物体の一定面にフレームを当てたときに、気泡管の中の気泡の位置が最も内側の標線の間の中央にあれば、その面は水平または鉛直に対して平行であることになる。
また、薄型透明円盤の中に石油またはアルコールなどの液体と一つの気泡が封入された、アクリル樹脂製の円盤形水準器なども挙げられる。
この円盤形水準器一つで前後左右全方向の傾きを読み取れる上に、感度や精度は、やや劣るがガラス円筒形気泡管と比べて薄く小型かつ安価なものを製造できるので、高精度は要しないが、おおよそ水平または垂直で使用する必要がある器具や装置の組み込み用として多用されているものである。
なお、図１に示す実施形態の測量用ポール１０のポール本体１２には、上下方向のほぼ中央に円柱型水準器１４を取り付けてある。
図１で示す円柱型水準器１４は、円柱型の容器の中に、色がついた液体が半分程入っているものであり、この円柱型の容器の外表面の上下方向中程に円周線１４ａが描かれている。
ポール本体１２が垂直に立っていれば、液面と容器の円周線１４ａが一致する。
ポール本体１２が傾くと、液面と容器の円周線１４ａは一致しなくなる。
したがって、この円柱型水準器１４の液面を見ながらポール本体１２の傾きを修正して、ポール本体１２を垂直に設置することができる。
【００１３】
＜測量作業の説明＞
次に、本実施形態の測量用ポール１０の使用方法について説明する。
測量用ポール１０とセットで用いられる測量機は目的に合わせて使う分けられる。
例えば、角度を知るのであればトランシット、距離を知るならば、高低差を知るためのレベル、総合的に使えるトータルステーションなどが用いられる。
まずは、地盤の状態を確認して、測量機とポールを、できるだけ固く動きにくいところを選んで設置する。
そして、測量用ポール１０の水準器１４を見ながら測量用ポール１０が垂直になるように、３本の脚体１１を広げてポール本体１１を自立させる。
自立したポール本体１１を測量機のカメラで見ることにより、一人でも正確に距離を測ることができる。
【００１４】
なお、添付図面を参照しながら本考案の好適な実施形態について詳細に説明したが、本考案はかかる例に限定されない。
本考案の属する技術の分野における通常の知識を有する者であれば、実用新案登録請求の範囲に記載された技術的思想の範疇内において、これら実施形態や変形例に対して更なる修正を試みることは明らかであり、これらについても当然に本考案の技術的範囲に属するものと了解される。
【産業上の利用可能性】
【００１５】
本考案の測量用ポールは、自立して安定して設置でき、工事現場などでの測量作業において広く用いることができるので、産業上の利用可能性が高い。
【符号の説明】
【００１６】
１０：自立型の測量用ポール
１１（１１ａ、１１ｂ、１１ｃ）：脚体
１２：ポール本体
１２ａ：石突き
１２ｂ：キャップ
１３：緩衝部材
１４：水準器
１４ａ：円周線
【図１】
0003232574.tif 000003
【図２】
0003232574.tif 000004
【図３】
0003232574.tif 000005